【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
調理室を有する本体と、前記調理室の開口部を開閉する扉体と、前記調理室内に設けられ調理物を加熱するヒーターと、前記調理室内に収納されると共に線材からなる主焼き網と、前記主焼き網に載置される補助焼き網とを備え、前記補助焼き網は、主焼き網と嵌合する略四角形である短形状の脚部を少なくとも２つ備え、前記２つの脚部の一方を右下方へ、他方を左下方にそれぞれ外側に傾斜させるとともに、前記補助焼き網と前記脚部の上方の間隔は前記主焼き網の線材間のピッチよりも同じまたは小さく、また前記脚部の傾斜した下側開口部の間隔は前記主焼き網の線材間のピッチよりも大きく構成したオーブントースター。
【請求項２】
主焼き網の一辺を上方に折り曲げて鉛直部を形成し、補助焼き網の外周の一部に、幅が、前記鉛直部の線材間のピッチよりも小さい略四角形である短形状の凸部を設けた請求項１に記載のオーブントースター。
【請求項３】
鉛直部の線材間のピッチを少なくとも１箇所広くし、補助焼き網の略四角形である短形状の凸部の幅を、前記広いピッチより小さく、他の部分のピッチよりも広くなるように構成した請求項２に記載のオーブントースター。
【手続補正２】
【補正対象書類名】明細書
【補正対象項目名】全文
【補正方法】変更
【補正の内容】
【発明の詳細な説明】
【発明の名称】オーブントースター
【技術分野】
【０００１】
本発明は、焼き網上に載置された調理物を加熱する家庭用のオーブントースターに関するものである。
【背景技術】
【０００２】
従来、この種の加熱調理器は、図３に示すように、本体１１に設けられた調理室１２の
前面開口部１２ａを開閉する扉体１３があり、調理室１２内の上下にヒーター１４を設け、ヒーター１４の間に調理物（図示せず）を載置する主焼き網１５が設けられていた。主焼き網１５は、長方形の外枠を線材で構成し、この外枠に掛け渡された複数の線材部材からなり、トーストを焼くのに適したピッチの大きい網目状に形成されていた。そして餅などの柔らかく垂れやすい調理物を加熱する場合、ピッチの細かい網目状に構成された補助焼き網１６を主焼き網１５の上部に載置して加熱調理をしていた（例えば、特許文献１参照）。
【特許文献１】特開平１１−１５９７７５号公報
【発明の開示】
【発明が解決しようとする課題】
【０００３】
しかしながら、前記従来の補助焼き網１６は、脚部１６ａが補助焼き網１６に垂直に構成されており、主焼き網１５の線材の間に嵌合するようになっているが、脚部１６ａが主焼き網１５の線材のピッチ間にあり、主焼き網１５を引き出すときにがたつくという課題があった。
【０００４】
本発明は、前記従来の課題を解決するもので、主焼き網の掛け渡された線材のピッチ精度が悪くても、補助焼き網がガタついたり、逆にきつくて嵌合できないことがなく、補助焼き網を容易に主焼き網に装着することができるオーブントースターを提供することを目的とする。
【課題を解決するための手段】
【０００５】
前記従来の課題を解決するため、本発明のオーブントースターは、調理室を有する本体と、前記調理室の開口部を開閉する扉体と、前記調理室内に設けられ調理物を加熱するヒーターと、前記調理室内に収納されると共に線材からなる主焼き網と、前記主焼き網に載置される補助焼き網とを備え、前記補助焼き網は、主焼き網と嵌合する略四角形である短形状の脚部を少なくとも２つ備え、前記２つの脚部の一方を右下方へ、他方を左下方にそれぞれ外側に傾斜させるとともに、前記補助焼き網と前記脚部の上方の間隔は前記主焼き網の線材間のピッチよりも同じまたは小さく、また前記脚部の傾斜した下側開口部の間隔は前記主焼き網の線材間のピッチよりも大きく構成したもので、主焼き網の掛け渡された線材のピッチ精度が悪くても、補助焼き網を主焼き網に載置するだけで、補助焼き網の自重で、主焼き網に、容易にかつ確実に嵌合させることができる。
【発明の効果】
【０００６】
本発明のオーブントースターは、補助焼き網に設けた脚部の一つが右下方に、他の一つが左下方に傾斜しているので、主焼き網の掛け渡された線材のピッチ精度が悪くても、傾斜した脚部で掛け渡された線材を保持するので、補助焼き網がガタついたり、逆にきつくて嵌合できないことがなく、補助焼き網を主焼き網に容易に装着することができる。
【発明を実施するための最良の形態】
【０００７】
第１の発明は、調理室を有する本体と、前記調理室の開口部を開閉する扉体と、前記調理室内に設けられ調理物を加熱するヒーターと、前記調理室内に収納されると共に線材からなる主焼き網と、前記主焼き網に載置される補助焼き網とを備え、前記補助焼き網は、主焼き網と嵌合する略四角形である短形状の脚部を少なくとも２つ備え、前記２つの脚部の一方を右下方へ、他方を左下方にそれぞれ外側に傾斜させるとともに、前記補助焼き網と前記脚部の上方の間隔は前記主焼き網の線材間のピッチよりも同じまたは小さく、また前記脚部の傾斜した下側開口部の間隔は前記主焼き網の線材間のピッチよりも大きく構成したもので、主焼き網の掛け渡された線材のピッチ精度が悪くても、補助焼き網を主焼き網に載置するだけで、補助焼き網の自重で、主焼き網に、容易にかつ確実に嵌合させることができる。
【０００８】
第２の発明は、特に、第１の発明の主焼き網の一辺を上方に折り曲げて鉛直部を形成し、補助焼き網の外周の一部に、幅が、前記鉛直部の線材間のピッチよりも小さい略四角形である短形状の凸部を設けたもので、補助焼き網を主焼き網に嵌合させた時の位置決めを容易にすることができる。
【０００９】
第３の発明は、特に、第２の発明の鉛直部の線材間のピッチを少なくとも１箇所広くし、補助焼き網の略四角形である短形状の凸部の幅を、前記広いピッチより小さく、他の部分のピッチよりも広くなるように構成したもので、補助焼き網の凸部は、主焼き網の鉛直部のピッチの広い部分にしか入らないので、補助焼き網の位置決めを確実にすることができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態におけるオーブントースターの扉体を開けた状態の斜視図、図２（ａ）は、同オーブントースターの主焼き網と補助焼き網の斜視図、図２（ｂ）は、同主焼き網と補助焼き網の嵌合部分の拡大図である。
【００１２】
図１において、１は、本実施の形態におけるオーブントースターの本体で、調理物（図示せず）をヒーター２で加熱調理する調理室３と、調理室３の開口部３ａを開閉する扉体４を有している。ヒーター２の上部には、扉体４の開動作と連動して調理室３の開口部３ａより突出するように主焼き網５が設けられている。７は、餅などを焼くときに主焼き網５に載置される補助焼き網である。
【００１３】
図２において、主焼き網５は、外形を主外形線材５ａで形作り、主外形線材５ａとほぼ平行に主内部線材５ｂが、所定ピッチ５ｃで架設しているが、中心の広いピッチ５ｄだけは他のピッチ５ｃよりも広く架設してある。また、調理室３の奥側になる主焼き網５の主外形線材５ａをほぼ直角に上方に折り曲げて鉛直部６を構成している。
【００１４】
補助焼き網７は、主焼き網５の外形よりもひと回り小さく、外形を作る補助外形線材７ａとほぼ水平垂直に細かいピッチで細い補助内部線材７ｂが架設している。補助外形線材７ａの一部を曲げ加工して小さな短形状の脚部８が補助焼き網７の左右に設けられている。補助焼き網の外形寸法７ｃは、主焼き網５の主内部線材５ｂが作る間隔５ｅとほぼ同じ寸法で構成され、右側の脚部８は、右下方に、また左側の脚部８は、左下方にそれぞれ外側に向かって傾斜して形成されている。
【００１５】
補助焼き網７の前後方向には、補助外形線材７ａの一部を曲げ加工して、主焼き網５のピッチ５ｄよりも小さく、かつピッチ５ｃよりも大きい短形状の凸部９ａと凸部９ｂが設けられている。２つの凸部９ａと９ｂは、同じ大きさであり、前後を逆にしても問題がないように構成されている。
【００１６】
以上のように構成されたオーブントースターについて、以下その動作、作用を説明する。
【００１７】
餅などを焼くのに便利な補助焼き網７を使用するとき、補助焼き網７の一方の凸部９ｂを持ち、反対側の凸部９ａを、主焼き網５の鉛直部６に形成したピッチが広いピッチ５ｄの箇所に挿入する。このとき、凸部９ａは、ピッチ５ｃよりも大きいので、鉛直部６のピッチ５ｄの箇所にしか挿入できない。補助焼き網７の脚部８は、主焼き網５に嵌合するが
、主内部線材５ｂが作る間隔５ｅの精度が悪くても、一方の脚部８が右下方に、他方の脚部８が左下方に傾斜しているので、自重により主内部線材５ｂの上を滑り、隙間なく嵌合する。
【００１８】
このように、主焼き網５の主内部線材５ｂのピッチ精度を問わず、容易に、かつ確実に補助焼き網７を、主焼き網５に装着することができる。
【産業上の利用可能性】
【００１９】
以上のように、本発明にかかるオーブントースターは、補助焼き網を容易にかつ確実に、主焼き網５に装着できるので、ロースターなど焼き網の用途にも適用できる。
【図面の簡単な説明】
【００２０】
【図１】本発明の実施の形態１におけるオーブントースターの扉体を開けた状態の斜視図
【図２】（ａ）同オーブントースターの主焼き網と補助焼き網の斜視図（ｂ）同主焼き網と補助焼き網の嵌合部分の拡大図
【図３】従来のオーブントースターの概略構成を示す図
【符号の説明】
【００２１】
１  本体
２  ヒーター
３  調理室
３ａ  開口部
４  扉体
５  主焼き網
５ａ  主外形線材（線材）
５ｂ  主内部線材（線材）
５ｃ、５ｄ  ピッチ
６  鉛直部
７  補助焼き網
８  脚部
９ａ、９ｂ  凸部